(57)【特許請求の範囲】
【請求項１】
店舗における商品販売の決済を行う決済装置と、前記決済にともなう有価媒体の受付と有価媒体の払出を行う釣銭機とを含む有価媒体処理システムであって、
前記決済装置で決済された商品販売に対応する売上に係る情報を出力する売上出力手段と、
前記決済にともなって前記釣銭機で受け付けた有価媒体と払い出した有価媒体の差異である有価媒体の増分に係る情報を出力する有価媒体増分出力手段と、
前記売上出力手段によって出力された売上に係る情報と、前記有価媒体増分出力手段によって出力された有価媒体の増分に係る情報との整合性を検証する売上整合性検証手段と
を備えたことを特徴とする有価媒体処理システム。
【請求項２】
複数の店舗にそれぞれ設けられた複数の決済装置の前記売上に係る情報と、前記複数の決済装置にそれぞれ対応する複数の釣銭機の前記有価媒体の増分に係る情報とを受け付ける情報受付手段をさらに備え、
前記売上整合性検証手段は、前記情報受付手段によって受け付けた前記複数の決済装置の前記売上に係る情報と、前記複数の釣銭機の前記有価媒体の増分に係る情報とに基づいて、前記店舗ごと及び、又は前記複数店舗の合計の情報の整合性を検証する
ことを特徴とする請求項１に記載の有価媒体処理システム。
【請求項３】
前記釣銭機から回収された有価媒体を受け付ける有価媒体処理装置をさらに備え、
前記情報受付手段は、前記有価媒体処理装置が前記複数の釣銭機から回収した前記有価媒体の増分に係る情報を受け付ける
ことを特徴とする請求項２に記載の有価媒体処理システム。
【請求項４】
前記釣銭機から取り外し可能な有価媒体回収部に有価媒体の回収を行う釣銭機回収手段と、
前記釣銭機から取り外した前記有価媒体回収部を受け付けて、前記釣銭機回収手段によって前記有価媒体回収部に回収された有価媒体を前記有価媒体処理装置へ引き渡すことを可能とする回収有価媒体引渡可能化手段と
をさらに備え、
前記有価媒体増分出力手段は、前記有価媒体回収部が有する記憶媒体に前記有価媒体の増分に係る情報を出力し、
前記情報受付手段は、前記有価媒体回収部が有する記憶媒体に出力された前記有価媒体の増分に係る情報を取得する
ことを特徴とする請求項３に記載の有価媒体処理システム。
【請求項５】
複数の釣銭機から回収された有価媒体の合計値である回収有価媒体合計値と、前記情報受付手段によって受け付けた複数の決済装置の前記売上に係る情報に基づいて算出された売上の合計値である売上合計値とが一致しない場合には、前記売上合計値に対応する有価媒体を、前記有価媒体処理装置から回収する売上合計回収手段をさらに備えたことを特徴とする請求項４に記載の有価媒体処理システム。
【請求項６】
店舗における商品販売の決済を行う決済装置と、前記決済にともなう有価媒体の受付と有価媒体の払出を行う釣銭機とを含む有価媒体処理システムにおける有価媒体処理方法であって、
前記決済装置で決済された商品販売に対応する売上に係る情報を出力する売上出力ステップと、
前記決済にともなって前記釣銭機で受け付けた有価媒体と払い出した有価媒体の差異である有価媒体の増分に係る情報を出力する有価媒体増分出力ステップと、
前記売上出力ステップによって出力された売上に係る情報と、前記有価媒体増分出力ステップによって出力された有価媒体の増分に係る情報との整合性を検証する売上整合性検証ステップと
を含んだことを特徴とする有価媒体処理方法。
【発明の詳細な説明】
【技術分野】
【０００１】
この発明は、百貨店、スーパーマーケット及びショッピングモールなどの親会社の直営店と他社のテナント店が入店している複合商業施設において、直営店及びテナント店の売上金を入金する有価媒体処理システム及び有価媒体処理方法に関する。
【背景技術】
【０００２】
従来、店舗において商品販売に係る決済を行い、商品販売に係る決済によって得られた売上金を含む在高を管理し、営業終了後などに翌営業日の釣銭準備金を残して売上金を回収する技術が知られている。例えば、特許文献１には、店舗に貨幣の入出金機能を有し貨幣の在高を管理する貨幣入出金装置を備えて、１日の営業終了時等において、翌営業日等の次回の営業に備えて釣銭準備金相当額を残置額として自動算出して、残置額を除く在高に対応する貨幣を貨幣入出金機から回収する技術が開示されている。
【０００３】
また、複数の店舗が入店している複合商業施設において、店舗から回収された貨幣を受け付けて収納する技術が知られている。例えば、特許文献２には、カードリーダとプリンタと貨幣を収納する収納部とを備えた貨幣処理装置が、カードリーダで操作者のＩＤカードから操作者の識別情報を取得して認証を行い、店舗から回収された貨幣を受け付けて真贋判定及び計数をして収納部への収納を行い、収納部に収納された貨幣に係る情報をプリンタに出力する技術が開示されている。
【０００４】
特許文献１にかかる技術を適用した有価媒体の入出金を行う決済装置では、店舗の売上金である有価媒体の回収業務において、翌営業日用の釣銭準備金として決済装置に所定の有価媒体を残置するために従来行っていた、全ての有価媒体を一旦回収した後に残置する価値に応じた有価媒体を再度入金したり、装置内在高から残置する金種別の有価媒体枚数を差し引いた回収すべき有価媒体の金種別枚数を算出して、算出した金種別枚数に従って回収を行うといった煩雑な作業から店員を解放することができる。また、特許文献２にかかる技術を適用した有価媒体の収納を行う有価媒体処理装置では、店舗から回収された売上金の収納においては、入金操作者のカードを読み込むことによって操作者の認証を行ったうえで、店舗から回収された売上金の収納を行い、収納した有価媒体の内容に応じた情報の出力を行うようにしたので、店舗から回収された売上金の収納を適切かつ効率的に行うことができる。
【先行技術文献】
【特許文献】
【０００５】
【特許文献１】特許第３２９５２９１号
【特許文献２】特開２０１０−２２４６０９号公報
【発明の概要】
【発明が解決しようとする課題】
【０００６】
しかしながら、上述した従来技術で翌営業日の営業に備えた釣銭準備金を適切に残置することを優先した場合には、店舗の決済装置から回収される有価媒体は当該店舗の当日分の売上とは必ずしも一致しないこととなってしまい、売上に対応する有価媒体が適切に管理されているか否かの確認ができなくなってしまう。
【０００７】
この点について詳しく説明する。複合商業施設では、店舗の決済装置と通信によって接続する店舗サーバを有し、店舗サーバは複合商業施設内の店舗ごと及び全体の売上の管理を行っている。また、店舗から回収された有価媒体を収納する有価媒体処理装置は、収納された有価媒体の価値の管理を行い、店舗ごと及び複合商業施設全体から回収された有価媒体の管理を行っている。店舗から回収する有価媒体の価値を売上相当額とすることによって有価媒体処理装置は売上に対応する有価媒体を収納することとなり、収納した有価媒体の価値と店舗サーバの管理する売上の情報との一致を確認することによって、売上に対応する有価媒体が適切に管理されていることを確認することができるのである。しかし、翌営業日の釣銭準備金として店舗に残す金額を適切にすることを優先として店舗からの回収範囲を決定すると、回収対象の有価媒体の価値は必ずしも売上相当額とは一致しなくなってしまうことから、回収対象の有価媒体の価値と店舗サーバの管理する売上情報が一致しなくなってしまうこととなり、売上に対応する有価媒体が適切に管理されているか否かの確認ができなくなってしまうのである。
【０００８】
また、翌営業日の営業を考慮した場合には、釣銭準備金は必ず必要となることから、釣銭準備金を考慮せずに回収してしまうと、売上金の回収業務とは別に翌営業日の営業開始までには釣銭準備金を受け取って店舗の決済装置に装填するという作業が発生してしまうこととなり、店舗の担当者の手間を軽減することはできない。
【０００９】
このように、営業終了時に店舗から有価媒体を回収する場合に、翌営業日の釣銭準備金として利用可能な有価媒体を残置しつつ、売上に対応する有価媒体が適切に管理されていることを確認できるようにすることが重要な課題となっている。
【００１０】
本発明は、上述した従来技術の課題を解決するためのものであって、営業終了時に店舗から有価媒体を回収する場合に、翌営業日の釣銭準備金として利用可能な有価媒体を店舗に残置しつつ、売上に対応する有価媒体が適切に管理されていることを確認することができる有価媒体処理システム及び有価媒体処理方法を提供することを目的とする。
【課題を解決するための手段】
【００１１】
上述した課題を解決し、目的を達成するため、本発明は、店舗における商品販売の決済を行う決済装置と、前記決済にともなう有価媒体の受付と有価媒体の払出を行う釣銭機とを含む有価媒体処理システムであって、前記決済装置で決済された商品販売に対応する売上に係る情報を出力する売上出力手段と、前記決済にともなって前記釣銭機で受け付けた有価媒体と払い出した有価媒体の差異である有価媒体の増分に係る情報を出力する有価媒体増分出力手段と、前記売上出力手段によって出力された売上に係る情報と、前記有価媒体増分出力手段によって出力された有価媒体の増分に係る情報との整合性を検証する売上整合性検証手段とを備えたことを特徴とする。
【００１２】
また、本発明は、上記発明において、複数の店舗にそれぞれ設けられた複数の決済装置の前記売上に係る情報と、前記複数の決済装置にそれぞれ対応する複数の釣銭機の前記有価媒体の増分に係る情報とを受け付ける情報受付手段をさらに備え、前記売上整合性検証手段は、前記情報受付手段によって受け付けた前記複数の決済装置の前記売上に係る情報と、前記複数の釣銭機の前記有価媒体の増分に係る情報とに基づいて、前記店舗ごと及び、又は前記複数店舗の合計の情報の整合性を検証することを特徴とする。
【００１３】
また、本発明は、上記発明において、前記釣銭機から回収された有価媒体を受け付ける有価媒体処理装置をさらに備え、前記情報受付手段は、前記有価媒体処理装置が前記複数の釣銭機から回収した前記有価媒体の増分に係る情報を受け付けることを特徴とする。
【００１４】
また、本発明は、上記発明において、前記釣銭機から取り外し可能な有価媒体回収部に有価媒体の回収を行う釣銭機回収手段と、前記釣銭機から取り外した前記有価媒体回収部を受け付けて、前記釣銭機回収手段によって前記有価媒体回収部に回収された有価媒体を前記有価媒体処理装置へ引き渡すことを可能とする回収有価媒体引渡可能化手段とをさらに備え、前記有価媒体増分出力手段は、前記有価媒体回収部が有する記憶媒体に前記有価媒体の増分に係る情報を出力し、前記情報受付手段は、前記有価媒体回収部が有する記憶媒体に出力された前記有価媒体の増分に係る情報を取得することを特徴とする。
【００１５】
また、本発明は、上記発明において、複数の釣銭機から回収された有価媒体の合計値である回収有価媒体合計値と、前記情報受付手段によって受け付けた複数の決済装置の前記売上に係る情報に基づいて算出された売上の合計値である売上合計値とが一致しない場合には、前記売上合計値に対応する有価媒体を、前記有価媒体処理装置から回収する売上合計回収手段をさらに備えたことを特徴とする。
【００１６】
また、本発明は、店舗における商品販売の決済を行う決済装置と、前記決済にともなう有価媒体の受付と有価媒体の払出を行う釣銭機とを含む有価媒体処理システムにおける有価媒体処理方法であって、前記決済装置で決済された商品販売に対応する売上に係る情報を出力する売上出力ステップと、前記決済にともなって前記釣銭機で受け付けた有価媒体と払い出した有価媒体の差異である有価媒体の増分に係る情報を出力する有価媒体増分出力ステップと、前記売上出力ステップによって出力された売上に係る情報と、前記有価媒体増分出力ステップによって出力された有価媒体の増分に係る情報との整合性を検証する売上整合性検証ステップとを含んだことを特徴とする。
【発明の効果】
【００１７】
本発明によれば、店舗における商品販売の決済を行う決済装置で決済された商品販売に対応する売上に係る情報を出力し、決済にともなう有価媒体の受付と有価媒体の払出を行う釣銭機で受け付けた有価媒体と払い出した有価媒体の差異である有価媒体の増分に係る情報を出力し、出力された売上に係る情報と、出力された有価媒体の増分に係る情報との整合性を検証するよう構成したので、営業終了時に店舗から有価媒体を回収する場合に、翌営業日の釣銭準備金として利用可能な有価媒体を店舗に残置しつつ、売上に対応する有価媒体が適切に管理されていることを確認することができる。
【図面の簡単な説明】
【００１８】
【図１】図１は、複合商業施設において、店舗に翌営業日の釣銭準備金を適切に残しつつ店舗から売上金を収集し、店舗サーバで管理されている売上に対する有価媒体が適切に店舗の釣銭機において管理されていることの確認を行う処理の概要を説明するための説明図である。
【図２】図２は、有価媒体処理システムのシステム構成を示す図である。
【図３】図３は、図２に示したＰＯＳレジスタ、硬貨釣銭機及び紙幣釣銭機の外観構成を示す図である。
【図４】図４は、図２に示したＰＯＳレジスタ、硬貨釣銭機及び紙幣釣銭機の本実施例に係る装置内部の物理構成を示す図である。
【図５】図５は、図２に示したＰＯＳレジスタ、硬貨釣銭機及び紙幣釣銭機の本実施例に係る内部構成を示すブロック図である。
【図６】図６は、図２に示した硬貨釣銭機及び紙幣釣銭機の本実施例に係るデータ構成について説明するための説明図である。
【図７】図７は、図２に示した紙幣釣銭機の本実施例に係るＩＣデータのデータ構成を示す図である。
【図８】図８は、図２に示した入出金機の外観構成を示す図である。
【図９】図９は、図２に示した入出金機の本実施例に係る内部構成を示すブロック図である。
【図１０】図１０は、図２に示した入出金機の本実施例に係るデータ構成について説明するための説明図である。
【図１１】図１１は、カセット解錠機及び回収カセットの外観構成を示す図である。
【図１２】図１２は、カセット解錠機を使用して回収カセットを解錠する手順を説明するための説明図である。
【図１３】図１３は、図２に示した紙幣釣銭機及び硬貨釣銭機における売上金の回収処理の処理手順を示すフローチャートである。
【図１４】図１４は、図２に示した入出金機における売上金の入金処理の処理手順を示すフローチャートである。
【図１５】図１５は、図２に示した入出金機における収集された売上金の回収処理の処理手順を示すフローチャートである。
【発明を実施するための形態】
【００１９】
以下に、添付図面を参照して、本発明に係る有価媒体処理システム及び有価媒体処理方法の好適な実施例を詳細に説明する。
【実施例】
【００２０】
まず、複合商業施設において、店舗に翌営業日の釣銭準備金を適切に残しつつ店舗から売上金を収集し、店舗サーバ５００で管理されている売上に対する有価媒体が適切に店舗の釣銭機において管理されていることの確認を行う処理の概要を、図１を用いて説明する。図１は、複数の店舗が入店する複合商業施設において１日の営業終了後に行われる、店舗からの有価媒体の回収から、全店の売上金の銀行などへの入金を担う警備会社への引き渡しまでの処理内容を説明するための図である。本来であれば複合商業施設に入店する店舗は数十店舗以上の規模に対応可能であるが、説明の便宜上、店舗ａ、店舗ｂ及び店舗ｃの３店舗のみが入店しているという例を用いて説明する。
【００２１】
複合商業施設内の店舗には商品の販売に伴う決済を行うＰＯＳレジスタ３００が設置され、当該ＰＯＳレジスタ３００には、決済に伴う紙幣及び硬貨の受付と釣銭の払い出しを行う硬貨釣銭機１００及び紙幣釣銭機２００が接続されている。ＰＯＳレジスタ３００は、販売する商品の識別情報と数量を受け付けて顧客へ請求する合計金額を算出するとともに、算出した合計金額の表示やレシートの発行を行う。また、ＰＯＳレジスタ３００は、一日の売上に係る情報を管理し、複合商業施設内に設置される店舗サーバ５００に売上に係る情報を送信する。店舗サーバ５００は、それぞれの店舗のＰＯＳレジスタ３００から売上に係る情報を取得することによって、それぞれの店舗の売上を管理する。
【００２２】
また、ＰＯＳレジスタ３００に接続される硬貨釣銭機１００及び紙幣釣銭機２００は、紙幣及び硬貨などの有価媒体を受け付けて、受け付けた有価媒体の価値をＰＯＳレジスタ３００に通知し、ＰＯＳレジスタ３００の指示に基づいて受け付けた有価媒体の収納と釣銭の払い出しを行う。硬貨釣銭機１００及び紙幣釣銭機２００は、商品の販売にともなって出し入れされた結果である有価媒体の金種別の在高の管理を行う。また、硬貨釣銭機１００及び紙幣釣銭機２００は、商品の売買による売上金とは別に当日準備した釣銭準備金を管理しており、有価媒体の在高全体から釣銭準備金を減算することによって売上に対応する有価媒体の価値を算出することが可能である。
【００２３】
店舗ａの例は、営業終了時に硬貨釣銭機１００及び紙幣釣銭機２００で管理する有価媒体の在高は全体で「９５４，３２１円」で、内釣銭準備金が「１２４，０６０円」で、差引することによって得られる本日売上が「８３０，２６１円」であることを示している。また、店舗ａの例は、硬貨釣銭機１００及び紙幣釣銭機２００で管理する有価媒体の金種別の在高について、万円券が８０枚（８００，０００円）である場合の例であり、翌営業日の釣銭準備金としては不要な万円券を回収したことを示している。
【００２４】
また、紙幣釣銭機２００は、回収カセット２０７を備えており、金種ごとの回収枚数を決定して、決定した内容に応じた枚数の紙幣を回収カセット２０７に搬送する。また、回収カセット２０７は、ＩＣタグ２０７ｃを備えており、当該ＩＣタグ２０７ｃには、回収処理時に、硬貨釣銭機１００及び紙幣釣銭機２００で管理する全体在高から、釣銭準備金を差し引くことによって算出される本日売上が書き込まれる。店舗ａの例は、回収カセット２０７のＩＣタグ２０７ｃには、硬貨釣銭機１００及び紙幣釣銭機２００で管理する全体在高の「９５４，３２１円」から、釣銭準備金が「１２４，０６０円」を差し引くことによって算出される本日売上「８３０，２６１円」が書き込まれたことを示している。
【００２５】
また、回収カセット２０７は紙幣釣銭機２００から取り外すことが可能であり、紙幣釣銭機２００に収納された紙幣を回収する場合には、回収対象の紙幣を回収カセット２０７に搬送して、回収カセット２０７を取り外して、回収カセット２０７ごと出納室に持ち込むことによって売上金の回収を行う。
【００２６】
店舗ｂの例は、営業終了時に硬貨釣銭機１００及び紙幣釣銭機２００で管理する有価媒体の在高は全体で「８１２，３４５円」で、内釣銭準備金が「１１９，７３０円」で、差引することによって得られる本日売上が「６９２，６１５円」であることを示している。また、店舗ｂの例は、硬貨釣銭機１００及び紙幣釣銭機２００で管理する有価媒体の金種別の在高について、万円券が７０枚（７００，０００円相当）であり、万円券を全額回収したことを示している。また、店舗ｂの例は、回収カセット２０７のＩＣタグ２０７ｃには、全体在高の「８１２，３４５円」から、釣銭準備金の「１１９，７３０円」を差し引くことによって算出される本日売上「６９２，６１５円」が書き込まれたことを示している。
【００２７】
店舗ｃの例は、営業終了時に硬貨釣銭機１００及び紙幣釣銭機２００で管理する有価媒体の在高は全体で「６５４，３２１円」で、内釣銭準備金が「１６４，３２５円」で、差引することによって得られる本日売上が「４８９，９９６円」であることを示している。また、店舗ｃの例は、硬貨釣銭機１００及び紙幣釣銭機２００で管理する有価媒体の金種別の在高について、万円券が５０枚（５００，０００円相当）であり、万円券を全額回収したことを示している。また、店舗ｃの例は、回収カセット２０７のＩＣタグ２０７ｃには、全体在高の「６５４，３２１円」から、釣銭準備金の「１６４，３２５円」を差し引くことによって算出される本日売上「４８９，９９６円」が書き込まれたことを示している。
【００２８】
また、ＰＯＳレジスタ３００は、自装置の管理する本日の売上の情報を店舗サーバ５００に送信する。店舗サーバ５００は、それぞれの店舗から受付けた売上の情報に基づいて複合商業施設内の全ての店舗の売り上げを管理して、当日の売上集計結果を出力する。図１に示す店舗サーバ５００で出力された売上集計結果の例は、店舗ａの売上が「８３０，２６１円」で、店舗ｂの売上が「６９２，６１５円」で、店舗ｃの売上が「４８９，９９６円」で、複合商業施設全体の売上合計が「２，０１２，８７２円」であることを示している。
【００２９】
それぞれの店舗から回収された有価媒体は回収カセット２０７ごと出納室に持ち込まれて、入出金機４００に入金される。具体的には、回収カセット２０７を入出金機４００のカセット解錠機４０５にセットすることによって回収カセット２０７の解錠をして、解錠された回収カセット２０７から回収された有価媒体を取り出して入出金機４００で入金を行う。カセット解錠機４０５は、セットされた回収カセット２０７のＩＣタグ２０７ｃの内容を読み取ることができる図示しないＩＣタグリーダ４０５ｅを備えており、ＩＣタグ２０７ｃに書き込まれている店舗の売上金額を読み取る。入出金機４００は、一連の入金操作によって、店舗ごとの、回収されて入出金機４００に入金された金額と、ＩＣタグ２０７ｃから読み込んだ店舗の売上金額とを取得して管理する。
【００３０】
図１の入出金機４００の管理する店舗ごとの回収金額と売上金額の例は、店舗ａの回収金額が「８００，０００円」で、売上金額が「８３０，２６１円」で、店舗ｂの回収金額が「７００，０００円」で、売上金額が「６９２，６１５円」で、店舗ｃの回収金額が「５００，０００円」で、売上金額が「４８９，９９６円」で、店舗全体からの回収金額が「２，０００，０００円」で、売上金額が「２，０１２，８７２円」であることを示している。
【００３１】
入出金機４００から警備会社への売上金額の引き渡しに先立って、入出金機４００は、店舗サーバ５００の出力した売上集計結果の情報の入力を受け付けて、受け付けた店舗サーバ５００の管理内容と、入出金機４００がそれぞれの店舗からの回収の際に回収カセット２０７のＩＣタグ２０７ｃから読み取って集計した売上金額に関する情報との整合性の確認を行う。この両者が一致していることをもって、売上に対応する有価媒体が適切に管理されていることの確認とする。この両者が一致していない場合には、不一致となっている店舗を識別する情報と差異の内容とを出力することによって、不整合の確認のポイントを明確にする。
【００３２】
店舗サーバ５００の管理する売上金額の情報と、入出金機４００の管理する売上金額に関する情報との整合性の確認が行われたならば、入出金機４００は、売上金額相当分（２，０１２，８７２円）を紙幣回収カセット４２４及び硬貨回収カセット４３４に搬送する。紙幣回収カセット４２４及び硬貨回収カセット４３４への売上金相当分の搬送が終了したならば、入出金機４００から紙幣回収カセット４２４及び硬貨回収カセット４３４を取り出して、紙幣回収カセット４２４及び硬貨回収カセット４３４に収められた貨幣が売上合計に一致するか否かの確認を行った上で警備会社に引き渡す。
【００３３】
このように、店舗の硬貨釣銭機１００及び紙幣釣銭機２００は、内部に収められた有価媒体のうち、翌営業日の釣銭準備金として利用可能な低額紙幣及び硬貨については残置して、それ以外の釣銭準備金として利用することのない高額紙幣を回収カセット２０７を用いて回収し、回収の際には回収カセット２０７が備えるＩＣタグ２０７ｃに硬貨釣銭機１００及び紙幣釣銭機２００の管理する売上金額を書き込むようにした。入出金機４００は店舗から回収された回収カセット２０７に収められた有価媒体の入金を受け付けるとともに、回収カセット２０７のＩＣタグ２０７ｃを読むことによって店舗ごとの硬貨釣銭機１００及び紙幣釣銭機２００の管理する売上の情報を取得して、店舗サーバ５００経由で取得した全店のＰＯＳレジスタ３００の管理する売上に係る情報との整合性を評価することによって硬貨釣銭機１００及び紙幣釣銭機２００で売上を適切に管理しているか否かの判定を可能としたので営業終了時に店舗から有価媒体を回収する場合に、翌営業日の釣銭準備金として利用可能な有価媒体を店舗に残置しつつ、売上に対応する有価媒体が適切に管理されていることを確認することができる。
【００３４】
次に、有価媒体処理システムのシステム構成を説明する。図２は、有価媒体処理システムのシステム構成を示す図である。図２は、有価媒体処理システムを複数の店舗の入ったショッピングモールのような複合商業施設へ適用した例である。当該複合商業施設には複数の店舗が入っており、図２に示す企業ａのように同一企業が複数店舗を出店しているようなケースもある。当該複合商業施設に入っている店舗には、店舗の売上金の管理を行うＰＯＳレジスタ３００、硬貨釣銭機１００及び紙幣釣銭機２００が設置されている。それぞれの店舗には、店舗の規模に応じた台数のＰＯＳレジスタ３００、硬貨釣銭機１００及び紙幣釣銭機２００が設置されている。
【００３５】
また、当該複合商業施設内には出納室があって、出納室には売上金を入金したり、釣銭準備金を出金することができる入出金機４００が設置されている。また、規模の大きな複合商業施設には図２に示すように複数の出納室を設置することが可能で、その場合には店舗をエリアなどによってグループ分けを行い、１つのグループに対して１つの出納室を対応付けるようにしている。また、当該複合商業施設内には店舗サーバ５００が設置されていて、当該店舗サーバ５００は通信回線によって複合商業施設内の全てのＰＯＳレジスタ３００と接続されており、当該ＰＯＳレジスタ３００から送信されてくる売上情報の管理を行う。
【００３６】
図２の例は、当該複合商業施設には、企業ａ、企業ｂ、企業ｃ、企業ｇ及び企業ｈが出店しており、企業ａは店舗ａ、店舗ｄ、店舗ｅ及び店舗ｆを出店し、企業ｂは店舗ｂを出店し、企業ｃは店舗ｃを出店し、企業ｇは店舗ｇを出店し、企業ｈは店舗ｈを出店していることを示している。また、図２の例は、当該複合施設は２つのグループに分けられていて、出納室ａに対応するグループａには店舗ａ、店舗ｂ、店舗ｃ及び店舗ｄが含まれていて、出納室ｂに対応するグループｂには店舗ｅ、店舗ｆ、店舗ｇ及び店舗ｈが含まれていることを示している。
【００３７】
それぞれの店舗には１セット若しくは複数セットのＰＯＳレジスタ３００、硬貨釣銭機１００及び紙幣釣銭機２００が設置されている。ＰＯＳレジスタ３００は、商品の販売時に販売した商品の識別情報と数量を受け付けて顧客へ請求する合計金額を算出するとともに、算出した合計金額の表示やレシートの発行を行う。硬貨釣銭機１００及び紙幣釣銭機２００は、顧客から預かった硬貨及び紙幣を受け付けて計数を行い、金種別の枚数若しくは金額をＰＯＳレジスタ３００に通知する。また、ＰＯＳレジスタ３００は、硬貨釣銭機１００及び紙幣釣銭機２００から受け付けた顧客からの預かった金額と、ＰＯＳレジスタ３００が算出した顧客へ請求する合計金額とを用いて、釣銭を算出して、硬貨釣銭機１００及び紙幣釣銭機２００に釣銭の払い出しの指示を送信する。ＰＯＳレジスタ３００からの払い出しの指示を受け付けた硬貨釣銭機１００及び紙幣釣銭機２００は、受け付けた指示内容に応じて釣銭の払い出しを行う。
【００３８】
次に、閉店時などに行う店舗の売上金の回収について説明する。ＰＯＳレジスタ３００からの売上金の回収の操作を行うと、ＰＯＳレジスタ３００から硬貨釣銭機１００及び紙幣釣銭機２００に対して売上金回収の指示が通知される。売上金回収の指示を受け付けると硬貨釣銭機１００及び紙幣釣銭機２００は所定の基準に従って翌営業日の釣銭準備金を除いた紙幣及び硬貨の回収動作を実行する。
【００３９】
具体的には、硬貨釣銭機１００及び紙幣釣銭機２００は、硬貨釣銭機１００及び紙幣釣銭機２００の管理する金種別の枚数に対して、所定の基準に従って翌営業日の釣銭準備金を除いた紙幣及び硬貨を、硬貨については硬貨払出部１１６に、紙幣については取り外し可能な回収カセット２０７に搬送する。また、硬貨釣銭機１００及び紙幣釣銭機２００から硬貨及び紙幣の回収が行われると、回収カセット２０７が備えるＩＣタグ２０７ｃに硬貨釣銭機１００及び紙幣釣銭機２００の管理する売上に係る情報を書き込む。
【００４０】
当該店舗の店員は、硬貨釣銭機１００から払い出された硬貨と、紙幣釣銭機２００から取り外した回収カセット２０７とを店舗に応じた出納室に持ち込んで、入出金機４００において持ち込んだ硬貨及び紙幣の入金を行う。入出金機４００では、持ち込んだ店員や店舗及びレジを識別及び認証して、硬貨及び紙幣を受け付けて収納するとともに、受け付けた内容をジャーナルとして出力する。また、入出金機４００は、紙幣釣銭機２００から取り出した回収カセット２０７の解錠を行うカセット解錠機４０５が接続されており、カセット解錠機４０５を用いて回収カセット２０７の解錠を行うことによって、回収カセット２０７に収納された紙幣を取り出すことが可能となる。また、入出金機４００は回収カセット２０７のＩＣタグ２０７ｃから、硬貨釣銭機１００及び紙幣釣銭機２００の管理する売上に係る情報を読み込んで記憶する。
【００４１】
また、入出金機４００は、回収の指示を受け付けたならば、当日の売上金に対応する金額を図示しない紙幣回収カセット４２４及び硬貨回収カセット４３４に搬送する。紙幣回収カセット４２４及び硬貨回収カセット４３４は、入出金機４００から取り外しが可能であり、取り外して紙幣回収カセット４２４及び硬貨回収カセット４３４ごと警備会社に引き渡すことによって銀行への入金を委託する。
【００４２】
次に、図２に示したＰＯＳレジスタ３００、硬貨釣銭機１００及び紙幣釣銭機２００の外観構成を説明する。図３は、ＰＯＳレジスタ３００、硬貨釣銭機１００及び紙幣釣銭機２００の外観構成を示す図である。
【００４３】
店舗には１セット又は複数セットの硬貨釣銭機１００と、紙幣釣銭機２００と、ＰＯＳレジスタ３００とを備えている。硬貨釣銭機１００及び紙幣釣銭機２００は、それぞれ硬貨や紙幣の入出金処理を行う。図３に示すように、硬貨釣銭機１００及び紙幣釣銭機２００は左右方向に並べて配置される。また、ＰＯＳレジスタ３００は、並べて配置された硬貨釣銭機１００及び紙幣釣銭機２００の上面に載置される。
【００４４】
図３に示すようにＰＯＳレジスタ３００は、硬貨釣銭機１００や紙幣釣銭機２００における硬貨や紙幣の処理状況や、硬貨釣銭機１００や紙幣釣銭機２００の内部に収納された硬貨や紙幣の在高を表示する表示部３０２と、ＰＯＳレジスタ３００に対する様々な入力操作を受け付ける操作部３０４と、表示部３０２に表示する内容の一部や表示部３０２とは異なる内容を表示する追加表示部３０２ａとを有する。
【００４５】
また、硬貨釣銭機１００は、前部上面にタッチパネル等の操作表示部１１２を有する筐体１１０を備えている。筐体１１０の前部には硬貨受入部１１４及び硬貨払出部１１６が設けられている。硬貨受入部１１４は、受け入れた硬貨を１層１列状態で１枚ずつ機体内に取り込む。
【００４６】
また、紙幣釣銭機２００は、筐体２１０の前面には、紙幣受入口２１４ａと、紙幣取出口２１６ａとを備えている。また、売上金の回収時に使用する回収カセット２０７は筐体２１０に対して着脱自在に取り付けられている。また、払い出そうとした紙幣のうち、識別することができなかった紙幣を収納する出金リジェクト部２０４を備える。また、紙幣受入口２１４ａから機体内に取り込まれた紙幣のうち、汚損等により識別することができない紙幣は入金リジェクト紙幣として紙幣取出口２１６ａに返却される。
【００４７】
次に、図２に示したＰＯＳレジスタ３００、硬貨釣銭機１００及び紙幣釣銭機２００の本実施例に係る装置内部の物理構成を、図４を用いて説明する。
【００４８】
ＰＯＳレジスタ３００は、表示部３０２、操作部３０４及びＰＯＳレジスタ全体を制御する制御部３３０を有している。制御部３３０は、通信回線を介して店舗サーバ５００に接続されており、売上金情報等が送信されるようになっている。また、ＰＯＳレジスタ３００の制御部３３０は、紙幣釣銭機２００の制御部２３０と通信回線によって接続されている。また、硬貨釣銭機１００の制御部１３０と紙幣釣銭機２００の制御部２３０も互いに通信回線によって接続されている。ＰＯＳレジスタ３００は、紙幣釣銭機２００との通信回線を通して、紙幣釣銭機２００からの情報及び紙幣釣銭機２００を経由して硬貨釣銭機１００からの情報を取得する。また、ＰＯＳレジスタ３００は、通信回線を通して紙幣釣銭機２００及び紙幣釣銭機２００を通して硬貨釣銭機１００に対する指示を行うことができる。
【００４９】
硬貨釣銭機１００の筐体１１０の前部に設けられている硬貨受入部１１４は、受け入れた硬貨を１層１列状態で１枚ずつ機体内に取り込むようになっている。硬貨受入部１１４には、当該硬貨受入部１１４により機体内に取り込まれた硬貨を搬送する入金搬送部１０３が接続されている。
【００５０】
この入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ搬送する。
【００５１】
一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。出金搬送部１０８は、硬貨収納部１０６から繰り出された硬貨を硬貨払出部１１６へ搬送する。また、出金搬送部１０８は、分岐部１０４から搬送されたリジェクト硬貨等を硬貨払出部１１６へ搬送する。
【００５２】
紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、及び回収カセット２０７が、周回搬送部２０３ａから外周を取り囲むように配置されている。
【００５３】
また、紙幣釣銭機２００の筐体２１０の内部には、紙幣受入部２１４、紙幣収納部２０６、紙幣払出部２１６、出金リジェクト部２０４、及び回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行う。また、周回搬送部２０３ａと接続搬送部２０３ｂとの間で紙幣の搬送経路を切り換える経路切換部（図示せず）が、周回搬送部２０３ａに沿って配置されている。
【００５４】
紙幣受入部２１４は、紙幣受入口２１４ａに挿入された入金紙幣を１枚ずつ取り込んで、周回搬送部２０３ａ側へ繰り出すようになっている。紙幣収納部２０６は、紙幣識別部２０１の識別結果に基づいて紙幣を金種別に収納する。紙幣払出部２１６は、紙幣収納部２０６から周回搬送部２０３ａに繰り出された紙幣を紙幣取出口２１６ａより機外へ放出する。
【００５５】
出金リジェクト部２０４は、紙幣収納部２０６から繰り出された紙幣のうち、斜行等により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却される。
【００５６】
次に、図２に示したＰＯＳレジスタ３００、硬貨釣銭機１００及び紙幣釣銭機２００の本実施例に係る内部構成を説明する。図５は、ＰＯＳレジスタ３００、硬貨釣銭機１００及び紙幣釣銭機２００の本実施例に係る内部構成を示すブロック図である。
【００５７】
図５に示すように、硬貨釣銭機１００は、通信部１３２、硬貨受入部１１４、入金搬送部１０３、硬貨識別部１０１、分岐部１０４、硬貨収納部１０６、出金搬送部１０８、硬貨払出部１１６、操作表示部１１２、記憶部１３４及び制御部１３０を備えている。通信部１３２は、通信回線を通して紙幣釣銭機２００とのデータ通信を行うためのインタフェース部である。紙幣釣銭機２００は、同様にしてＰＯＳレジスタ３００とも通信回線を通してデータ通信を行っており、紙幣釣銭機２００を経由することによって、硬貨釣銭機１００は、ＰＯＳレジスタ３００とのデータ通信を行うこともできる。
【００５８】
硬貨受入部１１４は、入金する硬貨の受付を行う。入金搬送部１０３は、硬貨受入部１１４で受け付けた硬貨を硬貨識別部１０１、分岐部１０４を経由して硬貨収納部１０６への搬送を行う。硬貨識別部１０１は、入金搬送部１０３によって搬送されてきた硬貨の真偽及び正損の判定を行う。分岐部１０４は、硬貨識別部１０１の真偽及び正損の識別結果に応じて、搬送されてきた硬貨を硬貨払出部１１６に続く出金搬送部１０８若しくは硬貨収納部１０６に続く入金搬送部１０３のいずれかに分岐させる。真貨であり且つ正貨と識別された場合には、分岐部１０４は搬送されてきた硬貨を硬貨収納部１０６に続く入金搬送部１０３に振り分ける。また、偽貨若しくは損貨と識別された場合には、分岐部１０４は搬送されてきた硬貨を硬貨払出部１１６に続く出金搬送部１０８に振り分ける。
【００５９】
硬貨収納部１０６は、硬貨の入金処理で真貨であり且つ正貨と識別された硬貨を収納する収納部である。また、硬貨の出金処理では、当該硬貨収納部１０６から硬貨を繰り出して払い出しを行う。出金搬送部１０８は、硬貨の出金処理において硬貨収納部１０６から繰り出された硬貨を硬貨払出部１１６に搬送する。また、出金搬送部１０８は、硬貨識別部１０１によって偽貨若しくは損貨と識別された場合に、分岐部１０４から分岐により受け付けた偽貨若しくは損貨と識別された硬貨を硬貨払出部１１６に搬送する。硬貨払出部１１６は、釣銭として出金する硬貨若しくは硬貨識別部１０１によって偽貨若しくは損貨と識別された返却する硬貨を払い出す口である。
【００６０】
操作表示部１１２は、硬貨釣銭機１００や紙幣釣銭機２００における硬貨や紙幣の処理状況や、硬貨釣銭機１００や紙幣釣銭機２００の内部に収納された硬貨や紙幣の在高などの情報を表示する出力部である。
【００６１】
記憶部１３４は、ハードディスク装置や不揮発性メモリ等の記憶デバイスであり、硬貨在高データ１３４ａ、硬貨釣銭準備金データ１３４ｂ及び硬貨回収パラメータ１３４ｃを有する。硬貨在高データ１３４ａは、硬貨釣銭機１００内で管理する硬貨の金種別の在高を示すデータである。硬貨釣銭準備金データ１３４ｂは、釣銭準備金として前営業日から引き継いだり当日釣銭準備金として追加した硬貨の金種別の枚数を示すデータである。硬貨回収パラメータ１３４ｃは、硬貨の金種別に回収範囲に関して規定したデータである。
【００６２】
制御部１３０は、硬貨釣銭機１００の全体を制御する制御部であり、入出金処理部１３０ａ及び回収処理部１３０ｂを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００６３】
入出金処理部１３０ａは、硬貨の入金処理及び出金処理全体を制御する処理部である。また、入出金処理部１３０ａは、硬貨入出金が終了したならば金種ごとの入出金の内容で硬貨在高データ１３４ａの更新を行う。
【００６４】
回収処理部１３０ｂは、紙幣釣銭機２００を経由してＰＯＳレジスタ３００から回収の指示を受け付けた場合、若しくは操作表示部１１２の操作による回収の指示を受け付けた場合に硬貨の回収処理を行う。具体的には、回収処理部１３０ｂは、硬貨在高データ１３４ａと硬貨回収パラメータ１３４ｃに基づいて、回収する金種別枚数と翌営業日の釣銭準備金として残置する金種別枚数を決定する。また、決定した内容に準じて回収する金種別枚数の硬貨を硬貨払出部１１６に払い出して、払い出した内容に応じて硬貨在高データ１３４ａを更新する。また、回収処理部１３０ｂは、回収した金種別枚数と翌営業日の釣銭準備金として残置する金種別枚数と、当日の釣銭準備金の合計額を紙幣釣銭機２００に送信する。
【００６５】
図５に示すように、紙幣釣銭機２００は、通信部２３２、紙幣受入部２１４、周回搬送部２０３ａ、接続搬送部２０３ｂ、紙幣識別部２０１、紙幣収納部２０６、出金リジェクト部２０４、紙幣払出部２１６、回収カセット２０７、ＩＣタグリーダライタ２０９、記憶部２３４及び制御部２３０を備えている。通信部２３２は、通信回線を通してＰＯＳレジスタ３００及び硬貨釣銭機１００とのデータ通信を行うためのインタフェース部である。
【００６６】
紙幣受入部２１４は、入金する紙幣の受付を行う。周回搬送部２０３ａは、紙幣受入部２１４から繰り出した紙幣を紙幣収納部２０６に続く接続搬送部２０３ｂか、回収カセット２０７に続く接続搬送部２０３ｂか、紙幣払出部２１６に続く接続搬送部２０３ｂのいずれかに選択的に搬送する。また、周回搬送部２０３ａは、紙幣収納部２０６から繰り出した紙幣を出金リジェクト部２０４に続く接続搬送部２０３ｂか、回収カセット２０７に続く接続搬送部２０３ｂか、紙幣払出部２１６に続く接続搬送部２０３ｂのいずれかに選択的に搬送する。接続搬送部２０３ｂは、周回搬送部２０３ａと紙幣収納部２０６、回収カセット２０７、紙幣払出部２１６、出金リジェクト部２０４若しくは紙幣受入部２１４とを結ぶ紙幣の搬送処理部である。
【００６７】
紙幣識別部２０１は、周回搬送部２０３ａ上にあって、紙幣の真偽及び正損の識別を行う。紙幣収納部２０６は、紙幣の入金処理で真券であり且つ正券と識別された紙幣を収納する収納部である。また、紙幣の出金処理では、当該紙幣収納部２０６から紙幣を繰り出して払い出しを行う。出金リジェクト部２０４は、紙幣の出金処理において紙幣収納部２０６から繰り出された紙幣のうち、紙幣識別部２０１で偽券若しくは損券と識別された紙幣を収納するボックスである。紙幣払出部２１６は、紙幣の出金処理において紙幣収納部２０６から繰り出された紙幣のうち、紙幣識別部２０１で真券であり且つ正券と識別された紙幣を払い出す口である。また、紙幣払出部２１６は、紙幣の入金処理において紙幣識別部２０１で偽券若しくは損券と識別された紙幣を返却する口である。
【００６８】
回収カセット２０７は、ＰＯＳレジスタ３００から回収の指示を受け付けた場合、若しくは硬貨釣銭機１００の操作表示部１１２の操作による回収の指示を受け付けた場合に、紙幣収納部２０６に収納されている紙幣を搬送する先である。当該回収指示によって、紙幣釣銭機２００内の売上金は回収カセット２０７に集められ、当該回収カセット２０７を抜き取ることによって売上金の回収を行うことができる。また、回収カセット２０７の底部にはＩＣタグ２０７ｃが取り付けられており、当該ＩＣタグ２０７ｃの中にはＩＣデータ２０７ｄが記憶されている。ＩＣタグリーダライタ２０９は、回収カセット２０７の底部に取り付けられたＩＣタグ２０７ｃのＩＣデータ２０７ｄに対する読み書きを行うための入出力部である。
【００６９】
記憶部２３４は、ハードディスク装置や不揮発性メモリ等の記憶デバイスであり、紙幣在高データ２３４ａ、紙幣釣銭準備金データ２３４ｂ及び紙幣回収パラメータ２３４ｃを有する。紙幣在高データ２３４ａは、紙幣釣銭機２００内で管理する紙幣の金種別の在高を示すデータである。紙幣釣銭準備金データ２３４ｂは、釣銭準備金として前営業日から引き継いだり当日釣銭準備金として追加した紙幣の金種別の枚数を示すデータである。紙幣回収パラメータ２３４ｃは、紙幣の金種別に回収範囲に関して規定したデータである。
【００７０】
制御部２３０は、紙幣釣銭機２００の全体を制御する制御部であり、入出金処理部２３０ａ及び回収処理部２３０ｂを有する。実際には、これらの機能部に対応するプログラムを図示しないＲＯＭや不揮発性メモリに記憶しておき、これらのプログラムをＣＰＵ（Central Processing Unit）にロードして実行することにより、それぞれ対応するプロセスを実行させることになる。
【００７１】
入出金処理部２３０ａは、紙幣の入金処理及び出金処理全体を制御する処理部である。また、入出金処理部２３０ａは、紙幣入出金が終了したならば金種ごとの入出金の内容で紙幣在高データ２３４ａの更新を行う。
【００７２】
回収処理部２３０ｂは、ＰＯＳレジスタ３００から回収の指示を受け付けた場合、若しくは硬貨釣銭機１００の操作表示部１１２の操作による回収の指示を受け付けた場合に紙幣の回収処理を行う。具体的には、回収処理部２３０ｂは、まず硬貨釣銭機１００に硬貨の回収要求を送信する。また、回収処理部２３０ｂは、紙幣在高データ２３４ａと紙幣回収パラメータ２３４ｃに基づいて、回収する紙幣の金種別枚数と翌営業日の釣銭準備金として残置する紙幣の金種別枚数を決定してＩＣタグ２０７ｃに書き込んで、回収する金種別枚数を回収カセット２０７に搬送する。また、回収処理部２３０ｂは、回収カセット２０７に搬送した金種別枚数を紙幣在高データ２３４ａから減算する。また、硬貨釣銭機１００からの硬貨の回収応答の待ち合わせをして、硬貨の回収応答を受け付けたならば硬貨の回収応答に含まれる回収する硬貨の金種別枚数と翌営業日の釣銭準備金として残置する硬貨の金種別枚数をＩＣタグ２０７ｃに反映する。また、硬貨釣銭機１００からの硬貨の回収応答に含まれる、当日の硬貨の釣銭準備金の合計額と紙幣釣銭準備金データ２３４ｂと、硬貨及び紙幣の在高に基づいて本日の売上を算出してＩＣタグ２０７ｃに書き込む。
【００７３】
次に、硬貨釣銭機１００に硬貨を入金する場合の動作について以下に説明する。入出金処理部１３０ａは、硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。入出金処理部１３０ａは、硬貨識別部１０１による硬貨の識別結果に基づいて、リジェクト硬貨等の硬貨払出部１１６から払い出されるべき硬貨であると識別された硬貨は、分岐部１０４により出金搬送部１０８へ搬送し、出金搬送部１０８により硬貨払出部１１６に搬送する。一方、硬貨識別部１０１による硬貨の識別結果に基づいて、正常硬貨等の機体内に収納されるべき硬貨であると識別された硬貨は、入金搬送部１０３により硬貨収納部１０６へ搬送し、当該硬貨収納部１０６に金種別に収納する。
【００７４】
また、硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００から紙幣釣銭機２００経由で出金指示が硬貨釣銭機１００に送られると、硬貨釣銭機１００から釣銭としての硬貨が出金される。硬貨釣銭機１００の入出金処理部１３０ａに対して出金指示が与えられると、硬貨収納部１０６に収納されている硬貨が繰り出され、繰り出された硬貨は出金搬送部１０８により硬貨払出部１１６へ搬送される。このようにして、操作者は、硬貨払出部１１６から硬貨を取り出すことができるようになる。
【００７５】
次に、紙幣釣銭機２００に紙幣を入金する場合の動作について以下に説明する。入出金処理部２３０ａは、紙幣受入部２１４の紙幣受入口２１４ａに紙幣が挿入されると、紙幣受入部２１４は、紙幣受入口２１４ａに挿入された入金紙幣を１枚ずつ取り込んで、周回搬送部２０３ａ側へ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納する。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００７６】
また、紙幣釣銭機２００から釣銭としての紙幣を出金する場合には、操作者は操作表示部１１２により出金されるべき紙幣の金種別の枚数や合計金額等を入力する。あるいは、ＰＯＳレジスタ３００から出金指示が紙幣釣銭機２００に送られると、紙幣釣銭機２００から釣銭としての紙幣が出金される。紙幣釣銭機２００の入出金処理部２３０ａに対して出金指示が与えられると、紙幣収納部２０６に収納されている紙幣が繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等により紙幣識別部２０１で識別することができない紙幣は、出金リジェクト紙幣として出金リジェクト部２０４に収納される。
【００７７】
次に、図２に示した硬貨釣銭機１００及び紙幣釣銭機２００の本実施例に係るデータ構成について説明する。図６は、硬貨釣銭機１００及び紙幣釣銭機２００の本実施例に係るデータ構成について説明するための説明図である。
【００７８】
硬貨在高データ１３４ａは、硬貨釣銭機１００の硬貨金種別の機内在高である。図６の硬貨在高データ１３４ａの例は、５００円貨が「４２」枚で、１００円貨が「６７」枚で、５０円貨が「２０」枚で、１０円貨が「３１」枚で、５円貨が「５５」枚で、１円貨が「３６」枚であることを示している。
【００７９】
硬貨釣銭準備金データ１３４ｂは、当日の釣銭準備金として準備した硬貨金種別の枚数である。図６の硬貨釣銭準備金データ１３４ｂの例は、５００円貨が「６０」枚で、１００円貨が「１３５」枚で、５０円貨が「７０」枚で、１０円貨が「１４５」枚で、５円貨が「９０」枚で、１円貨が「１６０」枚であることを示している。
【００８０】
硬貨回収パラメータ１３４ｃは、硬貨金種ごとに回収レベルと閾値枚数とを設定したデータである。回収レベルは、コード化されたデータであって、「０」は当該金種は回収しないことを示し、「１」は閾値枚数に設定された枚数を超過する分を回収することを示し、「９」は全額回収することを示している。
【００８１】
図６の硬貨回収パラメータ１３４ｃの例は、５００円硬貨は回収レベルが「１」で、閾値枚数「１００」枚を超過する分を回収することを示し、１００円硬貨は回収レベルが「０」で回収しないことを示し、５０円硬貨は回収レベルが「１」で、閾値枚数「１００」枚を超過する分を回収することを示し、１０円硬貨は回収レベルが「０」で回収しないことを示し、５円硬貨は回収レベルが「１」で、閾値枚数「１００」枚を超過する分を回収することを示し、１円硬貨は回収レベルが「０」で回収しないことを示している。
【００８２】
紙幣在高データ２３４ａは、紙幣釣銭機２００の紙幣金種別の機内在高である。図６の紙幣在高データ２３４ａの例は、万円券が「８０」枚で、五千円券が「１２」枚で、千円券が「６５」枚であることを示している。
【００８３】
紙幣釣銭準備金データ２３４ｂは、当日の釣銭準備金として準備した紙幣金種別の枚数である。図６の紙幣釣銭準備金データ２３４ｂの例は、万円券が「０」枚で、五千円券が「５」枚で、千円券が「５０」枚であることを示している。
【００８４】
紙幣回収パラメータ２３４ｃは、紙幣金種ごとに回収レベルと閾値枚数とを設定したデータである。回収レベルは、コード化されたデータであって、「０」は当該金種は回収しないことを示し、「１」は閾値枚数に設定された枚数を超過する分を回収することを示し、「９」は全額回収することを示している。
【００８５】
図６の紙幣回収パラメータ２３４ｃの例は、万円券は回収レベルが「９」で、全額回収することを示し、五千円券は回収レベルが「１」で、閾値枚数「３０」枚を超過する分を回収することを示し、千円券は回収レベルが「１」で、閾値枚数「８０」枚を超過する分を回収することを示している。
【００８６】
次に、図２に示した紙幣釣銭機２００の本実施例に係るＩＣデータ２０７ｄのデータ構成を説明する。図７は、紙幣釣銭機２００の本実施例に係るＩＣデータ２０７ｄのデータ構成を示す図である。
【００８７】
ＩＣデータ２０７ｄは、レジ識別情報、売上金額、回収実施日、回収情報を有する。レジ識別情報は、当該回収カセット２０７に対応するレジを識別する情報であり、当該レジの企業コード、店舗コード、部門コード及びレジ番号を有する。また、売上金額は、硬貨釣銭機１００及び紙幣釣銭機２００の管理する硬貨在高データ１３４ａ及び紙幣在高データ２３４ａの合計金額から硬貨釣銭準備金データ１３４ｂと紙幣釣銭準備金データ２３４ｂの合計金額を差し引くことによって算出される金額である。回収実施日は、回収処理を行った最後の日付である。ＩＣデータ２０７ｄの回収情報は、紙幣及び硬貨の金種別の回収枚数と、紙幣及び硬貨の金種別の残置枚数とを有する。
【００８８】
図７のＩＣデータ２０７ｄの例は、レジ識別情報は、企業コードが「００１」で、店舗コードが「０１０」で、部門コードが「００２」で、レジ番号が「１０」であり、当日の売上金額が「８３０，２６１」円で、回収実施日が「２０１４／４／１」であることを示している。また、図７のＩＣデータ２０７ｄの例は、回収する金種別の枚数は、万円券が「８０」枚で、その他の金種はすべて「０」枚で、残置する金種別の枚数は、万円券が「０」枚で、五千円券が「１２」枚で、千円券が「６５」枚で、５００円貨が「４２」枚で、１００円貨が「６７」枚で、５０円貨が「２０」枚で、１０円貨「３１」枚で、５円貨が「５５」枚で、１円貨が「３６」枚であることを示している。
【００８９】
次に、図２に示した入出金機４００の外観構成を説明する。図８は、入出金機４００の外観構成を示す図である。
【００９０】
表示部４０１は、液晶ディスプレイなどの表示部であり、入出金機４００の操作に係るメニューや画面の表示等を行う。操作部４０２は、キーボードなどの入力部である。ＩＤカードリーダ４０３は、入出金操作を行う人を識別するＩＤカードの磁気テープを読み込む入力部である。ジャーナル印字部４０４は、入出金機４００で行った処理内容を示すジャーナルを印刷する出力部である。カセット解錠機４０５は、閉店後などに店舗から持ち込まれた売上金が収集された回収カセット２０７をセットすることによって回収カセット２０７の鍵を解錠する機器である。通帳プリンタ４０９は、入出金機４００で行った処理内容を通帳の形状をした出力媒体に印刷する出力部である。
【００９１】
紙幣受付部４２１は、入金する紙幣を投入する口である。硬貨受付部４３１は、入金する紙幣を投入する口である。また、包装硬貨受付部４４１は、入金する包装硬貨を投入する口である。
【００９２】
次に、図２に示した入出金機４００の本実施例に係る内部構成を説明する。図９は、入出金機４００の本実施例に係る内部構成を示すブロック図である。図９に示すように、入出金機４００には、レジの売上金を回収する回収カセット２０７の鍵を解錠するカセット解錠機４０５と、通帳の印字を行う通帳プリンタ４０９とを接続することが可能である。
【００９３】
また、入出金機４００は、表示部４０１、操作部４０２、ＩＤカードリーダ４０３、ジャーナル印字部４０４、通信部４０６、紙幣制御部４２０、硬貨制御部４３０、包装硬貨制御部４４０、記憶部４０７及び制御部４０８を有する。通信部４０６は、他の入出金機４００とデータ通信を行うためのインタフェース部である。
【００９４】
紙幣制御部４２０は、図８に示した紙幣受付部４２１と、紙幣受付部４２１で受け付けた紙幣を搬送する紙幣搬送部４２２と、紙幣搬送部４２２によって搬送された紙幣の真偽及び正損の判定を行う紙幣判別部４２３と、入出金機４００に入金された紙幣の回収用の紙幣回収カセット４２４とを有する。また、硬貨制御部４３０は、図８に示した硬貨受付部４３１と、硬貨受付部４３１で受け付けた硬貨を搬送する硬貨搬送部４３２と、硬貨搬送部４３２によって搬送された硬貨の真偽及び正損の判定を行う硬貨判別部４３３と、入出金機４００に入金された硬貨の回収用の硬貨回収カセット４３４とを有する。また、包装硬貨制御部４４０は、図８に示した包装硬貨受付部４４１と、包装硬貨受付部４４１で受け付けた包装硬貨を搬送する包装硬貨搬送部４４２と、包装硬貨搬送部４４２によって搬送された包装硬貨の真偽の判定を行う包装硬貨判別部４４３とを有する。
【００９５】
記憶部４０７は、ハードディスク装置や不揮発性メモリ等からなる記憶デバイスである。記憶部４０７は、店舗別釣銭パラメータ４０７ａ、店舗別売上データ４０７ｂ、合計売上データ４０７ｃ、店舗別残置データ４０７ｄ及び店舗別回収データ４０７ｅを有する。
【００９６】
店舗別釣銭パラメータ４０７ａは、レジごとに金種別の釣銭準備金の下限枚数及び上限枚数を規定したデータである。店舗別釣銭パラメータ４０７ａは、レジごとの釣銭準備金の過不足の判定の基準となるデータである。店舗別売上データ４０７ｂは、回収カセット２０７を用いて売上金の入金を行う際に、回収カセット２０７のＩＣタグ２０７ｃから読み取った売上金額をレジごとに記憶したデータである。合計売上データ４０７ｃは、店舗別売上データ４０７ｂに登録された当日の全店舗の売上金額の合計金額である。
【００９７】
店舗別残置データ４０７ｄは、回収カセット２０７を用いて売上金の入金を行う際に、回収カセット２０７のＩＣタグ２０７ｃから読み取ったレジごとの金種別の残置枚数を含むデータである。また、店舗別残置データ４０７ｄには、店舗別釣銭パラメータ４０７ａに基づいて判定した、レジごとの金種別の残置枚数の過不足の評価結果を有する。店舗別回収データ４０７ｅは、回収カセット２０７を用いて売上金の入金を行う際に、回収カセット２０７のＩＣタグ２０７ｃから読み取ったレジごとの金種別の回収枚数を含むデータである。
【００９８】
制御部４０８は、入出金機４００を全体制御する制御部であり入金処理部４０８ａ、釣銭過不足評価部４０８ｂ、売上検証部４０８ｃ及び回収処理部４０８ｄを有する。実際には、この機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００９９】
入金処理部４０８ａは、入金処理の全体を制御する処理部である。入金処理部４０８ａは、まずＩＤカードリーダ４０３による担当者カードの読み込みの受付を行う。担当者の認証が行われたならば、次にレジの識別情報の受付を行う。レジの識別情報は、回収カセット２０７をカセット解錠機４０５にセットすることによって、回収カセット２０７の底部に取り付けられたＩＣタグ２０７ｃのＩＣデータ２０７ｄに含まれるレジ識別情報を読み取ることによってレジの識別情報の受付を行うことができる。
【０１００】
さらに、入金処理部４０８ａは、回収カセット２０７のＩＣタグ２０７ｃのＩＣデータ２０７ｄに含まれる売上金額を読み取って店舗別売上データ４０７ｂに登録する。また、入金処理部４０８ａは、回収カセット２０７のＩＣタグ２０７ｃのＩＣデータ２０７ｄに含まれる金種別の回収枚数及び金種別の残置枚数の情報を読み取って、それぞれ店舗別回収データ４０７ｅ及び店舗別残置データ４０７ｄに登録する。また、入金処理部４０８ａは、カセット解錠機４０５を使用可能な状態にするとともに、入出金機４００の紙幣受付部４２１、硬貨受付部４３１及び包装硬貨受付部４４１のシャッタを開けて、紙幣、硬貨及び包装硬貨の投入が可能な状態にする。カセット解錠機４０５は、回収カセット２０７をセットして、奥側に回収カセット２０７を手動で押し込むことによって回収カセット２０７の解錠が行えるが、待機中の状態では奥側に押し込むことができないように電磁ロックがかかった状態となっている。当該「カセット解錠機４０５を使用可能な状態にする」とは、この電磁ロックを解除することによって奥側に押し込むことができる状態にすることを示している。
【０１０１】
操作者はカセット解錠機４０５を利用して回収カセット２０７に収められた紙幣を取り出して、取り出した紙幣を紙幣受付部４２１に投入して、持ち込んだ硬貨及び包装硬貨を硬貨受付部４３１及び包装硬貨受付部４４１に投入して入金処理開始の指示操作を行う。入金処理部４０８ａは、入金処理開始の指示を受け付けると、投入された紙幣、硬貨及び包装硬貨の計数を行って、入出金機４００の内部の収納部に収納する。入金処理部４０８ａは、受け付けた紙幣、硬貨及び包装硬貨の収納が行われると、入金された金種別の枚数を店舗別回収データ４０７ｅに登録された内容とのチェックを行い、過不足がある場合には、表示部４０１に入出金機４００に投入された紙幣、硬貨若しくは包装硬貨に過不足がある旨のメッセージの表示を行う。また、入金処理部４０８ａは、入金された金額などの情報をジャーナルとしてジャーナル印字部４０４で出力する。また、通帳プリンタ４０９が接続されている場合には、通帳プリンタ４０９にて入金された金額の情報などを通帳に印字する。
【０１０２】
釣銭過不足評価部４０８ｂは、入金処理部４０８ａの入金処理によって登録された店舗別残置データ４０７ｄの残置枚数を、店舗別釣銭パラメータ４０７ａに基づいて金種別に釣銭の過不足の評価を行って、その評価結果を店舗別残置データ４０７ｄの釣銭枚数過不足評価結果に登録する。また、釣銭過不足評価部４０８ｂは、釣銭過不足の評価結果で不足や過剰がある場合には、表示部４０１に評価内容を表示することによって店舗の店員に情報提供する。
【０１０３】
売上検証部４０８ｃは、店舗サーバ５００の出力した売上集計結果の情報の入力を受け付けて、受け付けた売上に係る情報と店舗別売上データ４０７ｂ及び合計売上データ４０７ｃとの整合性を判定する処理部である。売上検証部４０８ｃは、不整合を検出した場合には不整合内容を出力する。回収処理部４０８ｄは、入出金機４００から当日の売上金額に相当する紙幣及び硬貨を紙幣回収カセット４２４及び硬貨回収カセット４３４に搬送する処理部である。
【０１０４】
次に、図２に示した入出金機４００の本実施例に係るデータ構成について説明する。図１０は、入出金機４００の本実施例に係るデータ構成について説明するための説明図である。
【０１０５】
店舗別釣銭パラメータ４０７ａは、レジの識別情報である企業コード、店舗コード、部門コード及びレジ番号に関連付けて、釣銭準備金下限枚数と、釣銭準備金上限枚数とをレコードの項目とするデータである。釣銭準備金下限枚数とは、レジの識別情報に対応するレジの釣銭準備金を適正と判定する下限値である。また、釣銭準備金上限枚数とは、レジの識別情報に対応するレジの釣銭準備金を適正と判定する上限値である。
【０１０６】
図１０の店舗別釣銭パラメータ４０７ａの例は、企業コードが「００１」で、店舗コードが「０１０」で、部門コードが「００２」で、レジ番号が「１０」のレジは、釣銭準備金下限枚数は、万円券が「０」枚で、五千円券が「１０」枚で、千円券が「３０」枚で、５００円貨が「３０」枚で、１００円貨が「１００」枚で、５０円貨が「３０」枚で、１０円貨が「１５０」枚で、５円貨が「３０」枚で、１円貨が「１５０」枚であり、釣銭準備金上限枚数は、万円券が「０」枚で、五千円券が「３０」枚で、千円券が「１００」枚で、５００円貨が「１００」枚で、１００円貨が「３００」枚で、５０円貨が「１００」枚で、１０円貨が「４５０」枚で、５円貨が「１００」枚で、１円貨が「４５０」枚であることを示している。
【０１０７】
店舗別売上データ４０７ｂは、レジの識別情報である企業コード、店舗コード、部門コード及びレジ番号と、日付とに対応付けて、売上金額などをレコードの項目とするデータである。
【０１０８】
図１０の店舗別売上データ４０７ｂの例は、企業コードが「００１」で、店舗コードが「０１０」で、部門コードが「００２」で、レジ番号が「１０」のレジの、日付「２０１４／４／１」の売上金額が「８３０，２６１」円であることを示している。
【０１０９】
合計売上データ４０７ｃは、複合商業施設内の売上の合計を算出した日付と、売上合計に関連した店舗数と、複合商業施設内の売上の合計とを有する。図１０の合計売上データ４０７ｃの例は、日付「２０１４／４／１」に「７５」店舗の売り上げを合計した結果、「３４，５６０，０００」円であったことを示している。
【０１１０】
店舗別残置データ４０７ｄは、レジの識別情報である企業コード、店舗コード、部門コード及びレジ番号と、日付とに対応付けて、レジに残置している貨幣の金種別枚数である残置枚数と、当該残置枚数について金種別に過不足を評価した結果である釣銭準備金過不足評価結果とをレコードの項目とするデータである。釣銭準備金過不足評価結果は、コード化されたデータであって、「０」は過不足がないことを示し、「１」は不足であることを示し、「２」は過剰であることを示す。
【０１１１】
図１０の店舗別残置データ４０７ｄの例は、企業コードが「００１」で、店舗コードが「０１０」で、部門コードが「００２」で、レジ番号が「１０」のレジの、日付「２０１４／４／１」の売上金回収後のレジの残置枚数は、万円券が「０」枚で、五千円券が「１２」枚で、千円券が「６５」枚で、５００円貨が「４２」枚で、１００円貨が「６７」枚で、５０円貨が「２０」枚で、１０円貨が「３１」枚で、５円貨が「５５」枚で、１円貨が「３６」枚であることを示している。また、当該レジの残置枚数は、万円券、五千円券、千円券、５００円貨及び５円貨の過不足評価結果は「０」で過不足は無く、１００円貨、５０円貨、１０円貨及び１円貨の過不足評価結果は「１」で不足であると判定されたことを示している。
【０１１２】
店舗別回収データ４０７ｅは、レジの識別情報である企業コード、店舗コード、部門コード及びレジ番号と、日付とに対応付けて、店舗から回収されて入出金機４００に入金された貨幣の金種別枚数である入金枚数とをレコードの項目とするデータである。
【０１１３】
図１０の店舗別回収データ４０７ｅの例は、企業コードが「００１」で、店舗コードが「０１０」で、部門コードが「００２」で、レジ番号が「１０」のレジから、日付「２０１４／４／１」に、万円券が「８０」枚のみが回収されたことを示している。
【０１１４】
次に、カセット解錠機４０５及び回収カセット２０７の外観構成を説明する。図１１は、カセット解錠機４０５及び回収カセット２０７の外観構成を示す図である。
【０１１５】
図１１（ａ）に示すように、カセット解錠機４０５は、回収カセット２０７を装填することができ、当該回収カセット２０７をセットして奥側に押し込むことができるスライドベース部４０５ａと、回収カセット２０７の押し込みを規制したりその規制を解除したりすることができ、スライド可能なカバー部４０５ｂと、回収カセット２０７を解錠するためのロック解錠部４０５ｃと、回収カセット２０７の状態等の所定の情報を表示する表示部４０５ｄと、回収カセット２０７の底面に取り付けられたＩＣタグ２０７ｃの内容を読み込むことのできるＩＣタグリーダ４０５ｅを有している。ロック解錠部４０５ｃは、その内部にキーを有しており、回収カセット２０７を奥側に押し込むことに連動してキーが回動されて、回収カセット２０７のロック部のロックが解錠されることとなる。
【０１１６】
また、待機状態ではカバー部４０５ｂは電磁ロックがかかった状態であり、スライドベース部４０５ａを奥側に押し込むことはできない。カセット解錠機４０５は、制御部４０８からの電磁ロック解除の信号を受け付けるとカバー部４０５ｂの電磁ロックの解除を行う、これによってスライドベース部４０５ａを奥側に押し込むことができるようになる。
【０１１７】
回収カセット２０７は、短手方向であって水平方向に延在する揺動軸を有し、回収カセット２０７の上方筐体部２０７ａは下方筐体部２０７ｂに対して当該搖動軸を中心に上下方向に搖動自在となっている（図１２（ｄ）参照）。なお、回収カセット２０７は、施錠されているときには、回収カセット２０７の上方筐体部２０７ａは下方筐体部２０７ｂに対して搖動軸を中心として搖動することができないが、解錠されることで上方筐体部２０７ａが搖動軸を中心として上下方向に搖動することができるようになる。そして、上方筐体部２０７ａが上方に搖動されることで、回収カセット２０７内に収容された紙幣を取り出すことができるようになる。
【０１１８】
次に、カセット解錠機４０５を使用して回収カセット２０７を解錠する手順を、図１２を用いて説明する。
【０１１９】
図１２（ａ）は、カセット解錠機４０５に回収カセット２０７を装填する位置関係を示した図である。カセット解錠機４０５のスライドベース部４０５ａに回収カセット２０７の下方筐体部２０７ｂの底面が接するようにセットすることによって回収カセット２０７をカセット解錠機４０５に装填する。そのようにして装填した図が、図１２（ｂ）である。
【０１２０】
図１２（ｂ）に示すように回収カセット２０７がカセット解錠機４０５のスライドベース部４０５ａに装填されると、ＩＣタグリーダ４０５ｅによってＩＣタグ２０７ｃのＩＣデータ２０７ｄが読み込まれる。入金処理部４０８ａは、ＩＣタグリーダ４０５ｅによって読み込んだＩＣデータ２０７ｄに基づいて、取り扱うことのできるレジであるか否かの判定を行う。当該判定の結果が取り扱うことのできるレジであるとの判定の場合には、入金処理部４０８ａは、カセット解錠機４０５に使用許可の信号を送る。使用許可の信号を受け付けたカセット解錠機４０５は、カバー部４０５ｂの電磁ロックを解除することによってカセット解錠機４０５を使用可能な状態とし、回収カセット２０７を奥側に押し込むことができるようになる。
【０１２１】
次に、図１２（ｃ）に示すように、スライドベース部４０５ａに装填された回収カセット２０７を奥側に押し込むと、この押し込む動作によって回収カセット２０７のロック部にロック解錠部４０５ｃの内部にあるキーが挿入され、さらに押し込む動作と連動してキーが回動されてロック部のロックが解錠される。ロックが解錠されることによって、図１２（ｄ）に示すように、回収カセット２０７の上方筐体部２０７ａを上方に搖動することが可能となる。回収カセット２０７の上方筐体部２０７ａを上方に搖動することによって、回収カセット２０７内に収容された貨幣を取り出すことができるようになる。なお、このようにして回収カセット２０７が奥側に押し込まれて回収カセット２０７が解錠されると、表示部４０５ｄには解錠中の旨の表示が行われる。
【０１２２】
次に、図２に示した紙幣釣銭機２００及び硬貨釣銭機１００における売上金の回収処理の処理手順を説明する。図１３は、紙幣釣銭機２００及び硬貨釣銭機１００における売上金の回収処理の処理手順を示すフローチャートである。
【０１２３】
紙幣釣銭機２００の回収処理部２３０ｂは、回収の指示を受け付けたならば（ステップＳ１０１；Ｙｅｓ）、硬貨釣銭機１００に対して硬貨の回収要求を送信する（ステップＳ１０２）。また、回収の指示を受け付けていない場合（ステップＳ１０１；Ｎｏ）には、処理を終了する。また、回収処理部２３０ｂは、紙幣在高データ２３４ａと紙幣回収パラメータ２３４ｃに基づいて、紙幣の回収すべき金種別の枚数を決定して、ＩＣタグ２０７ｃのＩＣデータ２０７ｄの回収情報の回収枚数の紙幣部分に書き込む。（ステップＳ１０３）。
【０１２４】
また、回収処理部２３０ｂは、ステップＳ１０３で決定した金種別の枚数の紙幣を回収カセット２０７に搬送する（ステップＳ１０４）。また、回収処理部２３０ｂは、ステップＳ１０４で回収カセット２０７に搬送した紙幣の金種別枚数を、紙幣在高データ２３４ａから減算することによって、紙幣在高データ２３４ａの更新を行い、更新後の紙幣在高データ２３４ａをＩＣタグ２０７ｃのＩＣデータ２０７ｄの回収情報の残置枚数の紙幣部分に書き込む（ステップＳ１０５）。
【０１２５】
硬貨釣銭機１００の回収処理部１３０ｂは、硬貨釣銭機１００から硬貨の回収要求を受け付けたならば（ステップＳ２０１；Ｙｅｓ）、硬貨在高データ１３４ａと硬貨回収パラメータ１３４ｃに基づいて、硬貨の回収すべき金種別の枚数を決定する（ステップＳ２０２）。硬貨釣銭機１００から硬貨の回収要求を受け付けていない場合（ステップＳ２０１；Ｎｏ）には、処理を終了する。
【０１２６】
また、回収処理部１３０ｂは、ステップＳ２０２で決定した金種別の枚数の硬貨を硬貨払出部１１６に投出する（ステップＳ２０３）。また、回収処理部１３０ｂは、ステップＳ２０３で硬貨払出部１１６に投出した硬貨の金種別枚数を、硬貨在高データ１３４ａから減算することによって、硬貨在高データ１３４ａの更新を行う（ステップＳ２０４）。また、回収処理部１３０ｂは、紙幣釣銭機２００から受け付けた硬貨回収要求に対する応答として硬貨回収応答を紙幣釣銭機２００に返信して（ステップＳ２０５）、処理を終了する。硬貨回収応答は、ステップＳ２０２で決定した回収した硬貨の金種別枚数と、ステップＳ２０４で更新した硬貨回収処理後の硬貨在高データ１３４ａと、当日の釣銭準備金の合計金額とを含む。
【０１２７】
紙幣釣銭機２００の回収処理部２３０ｂは、硬貨釣銭機１００から硬貨回収応答を受け付けたならば（ステップＳ１０６；Ｙｅｓ）、硬貨回収応答に含まれる回収した硬貨の金種別枚数と、硬貨回収処理後の硬貨在高データ１３４ａと、当日の釣銭準備金の合計金額を用いて、ＩＣタグ２０７ｃのＩＣデータ２０７ｄの内容を更新して（ステップＳ１０７）、処理を終了する。具体的には、硬貨回収応答に含まれる回収した硬貨の金種別枚数はＩＣデータ２０７ｄの回収情報の回収枚数の硬貨部分に反映する。また、硬貨回収応答に含まれる硬貨回収処理後の硬貨在高データ１３４ａは、ＩＣタグ２０７ｃのＩＣデータ２０７ｄの回収情報の残置枚数の硬貨部分に反映する。また、硬貨回収応答に含まれる当日の釣銭準備金の合計金額と、紙幣釣銭準備金データ２３４ｂと、ＩＣタグ２０７ｃのＩＣデータ２０７ｄの回収情報の回収枚数及び残置枚数とに基づいて当該レジにおける当日の売り上げを算出して、ＩＣタグ２０７ｃのＩＣデータ２０７ｄの売上金額に書き込む。
【０１２８】
硬貨釣銭機１００から硬貨回収応答を受け付けていない場合（ステップＳ１０６；Ｎｏ）、ステップＳ１０６に戻ることによって硬貨釣銭機１００から硬貨回収応答の待ち合わせを行う。
【０１２９】
次に、図２に示した入出金機４００における売上金の入金処理の処理手順を説明する。図１４は、入出金機４００における売上金の入金処理の処理手順を示すフローチャートである。
【０１３０】
入金処理部４０８ａは、回収カセット２０７がカセット解錠機４０５に装填されたことを検知したならば（ステップＳ３０１；Ｙｅｓ）、回収カセット２０７に取り付けられたＩＣタグ２０７ｃのＩＣデータ２０７ｄを読み取って、読み取った内容を記憶部４０７に書き込む（ステップＳ３０２）。具体的には、ＩＣデータ２０７ｄのレジ識別情報と売上金額とに基づいて、店舗別売上データ４０７ｂの更新を行う。また、ＩＣデータ２０７ｄのレジ識別情報と回収情報の回収枚数とに基づいて、店舗別回収データ４０７ｅの更新を行う。また、ＩＣデータ２０７ｄのレジ識別情報と回収情報の残置枚数とに基づいて、店舗別残置データ４０７ｄの更新を行う。回収カセット２０７のカセット解錠機４０５への装填が検知されなかったならば（ステップＳ３０１；Ｎｏ）、処理を終了する。
【０１３１】
また、入金処理部４０８ａは、カセット解錠機４０５のロック状態を解除して使用可能な状態にする（ステップＳ３０３）。また、入金処理部４０８ａは、紙幣受付部４２１、硬貨受付部４３１及び包装硬貨受付部４４１のシャッタを開いて、貨幣の投入が可能な状態にする（ステップＳ３０４）。紙幣受付部４２１、硬貨受付部４３１及び包装硬貨受付部４４１に貨幣の投入が行われたならば入金処理部４０８ａは、投入された貨幣の真贋判定を行い、真正な貨幣と判定された貨幣を内部に収納し、ジャーナル印字部４０４及び通帳プリンタ４０９によって収納した金額を出力する（ステップＳ３０５）。
【０１３２】
次に、釣銭過不足評価部４０８ｂは、ステップ３０２で更新した店舗別残置データ４０７ｄのレコードの残置枚数の過不足の評価を行って、評価結果を店舗別残置データ４０７ｄの同じレコードの釣銭残置枚数過不足評価結果に書き込む（ステップＳ３０６）。具体的には、店舗別残置データ４０７ｄの残置枚数と、店舗別釣銭パラメータ４０７ａに基づいて評価して、店舗別残置データ４０７ｄの残置枚数が店舗別釣銭パラメータ４０７ａの釣銭準備金下限枚数未満の場合には不足と判定し、店舗別残置データ４０７ｄの残置枚数が店舗別釣銭パラメータ４０７ａの釣銭準備金上限枚数を超えている場合には過剰と判定し、いずれでもない場合には過不足なしと判定する。
【０１３３】
釣銭過不足評価部４０８ｂは、ステップＳ３０６で不足又は過剰と判定された金種が存在した場合（ステップＳ３０７；Ｙｅｓ）には、不足又は過剰と判定された金種があること及びその金種の情報を含むメッセージを表示部４０１に表示して（ステップＳ３０８）、処理を終了する。また、ステップＳ３０６で不足又は過剰と判定された金種がなかった場合（ステップＳ３０７；Ｎｏ）には、何もせずに処理を終了する。
【０１３４】
次に、図２に示した入出金機４００における収集された売上金の回収処理の処理手順を説明する。図１５は、入出金機４００における収集された売上金の回収処理の処理手順を示すフローチャートである。
【０１３５】
回収処理部４０８ｄは、当日の売上金の回収の指示を受け付けたならば（ステップＳ４０１；Ｙｅｓ）、店舗別売上データ４０７ｂの当日分の売上金額の集計をすることによって、当該入出金機４００の売上金の回収範囲に含まれる店舗の売上の合計金額を算出して、合計売上データ４０７ｃを更新する（ステップＳ４０２）。また、当日の売上金の回収の指示を受け付けていない場合（ステップＳ４０１；Ｎｏ）には、処理を終了する。
【０１３６】
次に、売上検証部４０８ｃは、店舗サーバ５００の出力した当日の売上集計結果の情報を受け付けて（ステップＳ４０３）、受け付けた売上集計結果の情報と、店舗別売上データ４０７ｂの情報及び合計売上データ４０７ｃの情報と一致するか否かの判定を行う（ステップＳ４０４）。ステップＳ４０３の店舗サーバ５００から受け付けた売上の集計結果と、店舗別売上データ４０７ｂの情報及び合計売上データ４０７ｃの情報とが不一致となっている部分がある場合（ステップＳ４０４；Ｎｏ）には、不一致である内容を表示部４０１に表示して、処理続行するか否かの入力を受け付ける（ステップＳ４０５）。
【０１３７】
ステップＳ４０５において、処理続行を示す入力を受け付けたならば（ステップＳ４０６；Ｙｅｓ）、ステップＳ４０３で受け付けた店舗サーバ５００の売上集計結果の情報に含まれる売上合計に対応する貨幣を紙幣回収カセット４２４及び硬貨回収カセット４３４に搬送して（ステップＳ４０７）、処理を終了する。売上金額が搬送された紙幣回収カセット４２４及び硬貨回収カセット４３４は、カセットごと入出金機４００から取り出されて警備会社に回収されることとなる。ステップＳ４０５において、処理中断を示す入力を受け付けたならば（ステップＳ４０６；Ｎｏ）、売上金の回収処理（ステップＳ４０７）は行わずに処理を終了する。
【０１３８】
ステップＳ４０４の店舗サーバ５００から受け付けた売上の集計結果と、店舗別売上データ４０７ｂの情報及び合計売上データ４０７ｃの情報とが一致していた場合（ステップＳ４０４；Ｙｅｓ）には、ステップＳ４０７に移行する。
【０１３９】
上述してきたように、本実施例では、店舗の硬貨釣銭機１００及び紙幣釣銭機２００は、内部に収められた有価媒体のうち、翌営業日の釣銭準備金として利用可能な低額紙幣及び硬貨については残置して、それ以外の釣銭準備金として利用することのない高額紙幣を回収カセット２０７を用いて回収し、回収の際には回収カセット２０７が備えるＩＣタグ２０７ｃに硬貨釣銭機１００及び紙幣釣銭機２００の管理する売上金額を書き込むようにして、入出金機４００は店舗から回収された回収カセット２０７に収められた有価媒体の入金を受け付けるとともに、回収カセット２０７のＩＣタグ２０７ｃを読むことによって全店舗の硬貨釣銭機１００及び紙幣釣銭機２００の管理する売上の情報を取得して、店舗サーバ５００経由で取得した全店のＰＯＳレジスタ３００の管理する売上に係る情報との整合性を評価することによって硬貨釣銭機１００及び紙幣釣銭機２００で売上を適切に管理しているか否かの判定が可能となるよう構成したので、営業終了時に店舗から有価媒体を回収する場合に、翌営業日の釣銭準備金として利用可能な有価媒体を残置しつつ、売上に対応する有価媒体が適切に管理されていることを確認することができる。
【０１４０】
なお、上述の本実施例では、ＰＯＳレジスタ３００から売上情報を店舗サーバ５００に収集して、収集した売上情報を集計した内容を入出金機４００で受け付けて、回収カセット２０７のＩＣタグ２０７ｃを介して収集した硬貨釣銭機１００及び紙幣釣銭機２００の有する情報から算出した売上金額を集計した内容との整合を確認することを説明してきたが、本発明はこれに限定されるものではない。例えば、店舗サーバ５００に対して、硬貨釣銭機１００及び紙幣釣銭機２００の有する情報から算出した売上金額の情報を引き渡すようにして、店舗サーバ５００において受け付けた硬貨釣銭機１００及び紙幣釣銭機２００の有する情報から算出した売上金額の情報と、ＰＯＳレジスタ３００から取得した売上情報との整合性を確認するようにしてもよい。また、例えば、ＰＯＳレジスタ３００から収集した売上情報を集計した内容を店舗サーバ５００から受け付けて、硬貨釣銭機１００及び紙幣釣銭機２００の有する情報から算出した売上金額を集計した内容を入出金機４００から受け付ける店舗サーバ５００及び入出金機４００とは別の装置を設けて、当該装置においてその両者の整合性の検証を行うものとしてもよい。
【０１４１】
また、上述の本実施例では、回収カセット２０７は、入出金機４００のカセット解錠機４０５に装填することによってロック部の解錠のみを行って内部に収納されている紙幣の入出金機４００への投入は、人の手で実施するものとしたが本発明はこれに限定するものではない。例えば、回収カセット２０７の内部に収納されている紙幣を繰り出すことのできる機構を備えて、入出金機４００は回収カセット２０７が繰り出した紙幣を受け付けて入金処理が行えるようになっていてもよい。また、回収カセット２０７は回収する紙幣のみを収納するものとしたが、例えば紙幣と硬貨の両方を収納できるような回収カセットであってもかまわない。また、例えば硬貨用の回収カセットを設けてもよい。
【０１４２】
また、上述の本実施例では、入出金機４００おいて売上金の入金処理を行う際には入金処理だけを行う例の説明をしてきたが本発明はこれに限定されるものではない。例えば、売上金の入金処理に引き続いて翌日の釣銭準備金の出金処理を行ってもよい。また、回収カセット２０７が紙幣の取込の機能を備えている場合には、回収カセット２０７に釣銭準備金の出金を行うようにしてもよい。
【０１４３】
また、上述の実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１４４】
以上のように、本発明に係る有価媒体処理システム及び有価媒体処理方法は、営業終了時に店舗から有価媒体を回収する場合に、翌営業日の釣銭準備金として利用可能な有価媒体を店舗に残置しつつ、売上に対応する有価媒体が適切に管理されていることを確認することに適している。
【符号の説明】
【０１４５】
１００  硬貨釣銭機
１０１  硬貨識別部
１０３  入金搬送部
１０４  分岐部
１０６  硬貨収納部
１０８  出金搬送部
１１０、２１０  筐体
１１２  操作表示部
１１４  硬貨受入部
１１６  硬貨払出部
１３０、２３０、３３０、４０８  制御部
１３０ａ、２３０ａ  入出金処理部
１３０ｂ、２３０ｂ、４０８ｄ  回収処理部
１３２、２３２、３３２、４０６  通信部
１３４、２３４、３３４、４０７  記憶部
１３４ａ  硬貨在高データ
１３４ｂ  硬貨釣銭準備金データ
１３４ｃ  硬貨回収パラメータ
２００  紙幣釣銭機
２０１  紙幣識別部
２０３ａ  周回搬送部
２０３ｂ  接続搬送部
２０４  出金リジェクト部
２０６  紙幣収納部
２０７  回収カセット
２０７ａ  上方筐体部
２０７ｂ  下方筐体部
２０７ｃ  ＩＣタグ
２０７ｄ  ＩＣデータ
２０９  ＩＣタグリーダライタ
２１４  紙幣受入部
２１４ａ  紙幣受入口
２１６  紙幣払出部
２１６ａ  紙幣取出口
２３４ａ  紙幣在高データ
２３４ｂ  紙幣釣銭準備金データ
２３４ｃ  紙幣回収パラメータ
３００  ＰＯＳレジスタ
３０２、４０１、４０５ｄ  表示部
３０２ａ  追加表示部
３０４、４０２  操作部
４００  入出金機
４０３  ＩＤカードリーダ
４０４  ジャーナル印字部
４０５  カセット解錠機
４０５ａ  スライドベース部
４０５ｂ  カバー部
４０５ｃ  ロック解錠部
４０５ｅ  ＩＣタグリーダ
４０７ａ  店舗別釣銭パラメータ
４０７ｂ  店舗別売上データ
４０７ｃ  合計売上データ
４０７ｄ  店舗別残置データ
４０７ｅ  店舗別回収データ
４０８ａ  入金処理部
４０８ｂ  釣銭過不足評価部
４０８ｃ  売上検証部
４０９  通帳プリンタ
４２０  紙幣制御部
４２１  紙幣受付部
４２２  紙幣搬送部
４２３  紙幣判別部
４２４  紙幣回収カセット
４３０  硬貨制御部
４３１  硬貨受付部
４３２  硬貨搬送部
４３３  硬貨判別部
４３４  硬貨回収カセット
４４０  包装硬貨制御部
４４１  包装硬貨受付部
４４２  包装硬貨搬送部
４４３  包装硬貨判別部
５００  店舗サーバ
【図１】
0006452985.tif 000002
【図２】
0006452985.tif 000003
【図３】
0006452985.tif 000004
【図４】
0006452985.tif 000005
【図５】
0006452985.tif 000006
【図６】
0006452985.tif 000007
【図７】
0006452985.tif 000008
【図８】
0006452985.tif 000009
【図９】
0006452985.tif 000010
【図１０】
0006452985.tif 000011
【図１１】
0006452985.tif 000012
【図１２】
0006452985.tif 000013
【図１３】
0006452985.tif 000014
【図１４】
0006452985.tif 000015
【図１５】
0006452985.tif 000016